(57)【要約】【課題】複数の呼接続の相手側装置のいずれからでも音声を送信することが可能な電話装置および電話システムを提供する。【解決手段】設定部２２は、複数の呼接続がなされているときに、複数の呼接続のうちの少なくとも１つを選択呼接続とし、選択呼接続以外の少なくとも１つの呼接続を非選択呼接続として設定する。通話制御部１４は、マイク１６に入力された音声信号を選択呼接続の相手側装置へ送信し、選択呼接続の相手側装置から受信した音声信号をスピーカ１８に出力するとともに、非選択呼接続の相手側装置から受信した音声信号をスピーカ１８に出力せずにメモリ２０に出力する。再生部２６は、メモリ２０に記憶された音声信号を再生する。【選択図】図２
2010278657.tif 000002
【特許請求の範囲】
【請求項１】
マイクと、
スピーカと、
音声信号を記憶するための記憶部と、
１または複数の相手側装置との間での呼接続を制御する通話制御部と、
複数の呼接続がなされているときに、前記複数の呼接続のうちの少なくとも１つを選択呼接続とし、前記選択呼接続以外の少なくとも１つの呼接続を非選択呼接続として設定する設定部とを備え、
前記通話制御部は、前記マイクに入力された音声信号を前記選択呼接続の相手側装置へ送信し、前記選択呼接続の相手側装置から受信した音声信号を前記スピーカに出力するとともに、前記非選択呼接続の相手側装置から受信した音声信号を前記スピーカに出力せずに前記記憶部に出力し、
前記記憶部に記憶された音声信号を再生するための再生部を備えた電話装置。
【請求項２】
前記設定部は、一定時間ごとに、前記選択呼接続および前記非選択呼接続の設定を切換える、請求項１記載の電話装置。
【請求項３】
前記電話装置は、さらに、
前記電話装置のユーザからの操作入力を受け付ける操作入力部を備え、
前記設定部は、前記操作入力部を通じたユーザの操作に従って、前記選択呼接続および前記非選択呼接続の設定を切換える、請求項１記載の電話装置。
【請求項４】
前記設定部は、前記選択呼接続での通話が所定時間途切れた後、複数の呼接続中の相手側装置のうち最初に音声信号を送信した相手側装置との呼接続を前記選択呼接続に設定する、請求項１記載の電話装置。
【請求項５】
前記設定部は、前記選択呼接続において、前記電話装置および相手側装置の一方から継続して音声信号が送信された後無音となり、その後、他方から継続して音声信号が送信された後無音となったときに、前記選択呼接続および前記非選択呼接続の設定を切換える、請求項１記載の電話装置。
【請求項６】
前記設定部は、前記記憶部に記憶された音声信号の容量に基づいて、前記選択呼接続および前記非選択呼接続の設定を切り替える、請求項１記載の電話装置。
【請求項７】
前記設定部は、新たな呼接続があったときには、前記新たな呼接続を前記選択呼接続に設定する、請求項１記載の電話装置。
【請求項８】
前記通話制御部は、前記非選択呼接続の相手側装置へ前記相手側装置が送信した音声信号は録音される旨の音声メッセージを送信する、請求項１記載の電話装置。
【請求項９】
前記電話装置は、さらに、
前記非選択呼接続が切断されたときに、前記非選択呼接続が切断された旨のメッセージを前記電話装置のユーザに通知する通知部を備える、請求項１記載の電話装置。
【請求項１０】
前記電話装置は、さらに、
表示部を備え、
前記通知部は、前記電話装置がハンズフリー状態の場合には、前記メッセージを表わす文字を前記表示部に出力し、前記電話装置がハンズフリー状態でない場合には、前記メッセージを表わす音声信号を前記スピーカに出力する、請求項９記載の電話装置。
【請求項１１】
前記電話装置は、さらに、
すべての呼接続が切断された後、前記記憶部に記憶された音声信号がある場合に、前記電話装置のユーザに音声信号が記憶されていることを通知する通知部を備える、請求項１記載の電話装置。
【請求項１２】
前記再生部は、前記非選択呼接続の設定から前記選択呼接続の設定に切り替わった呼接続について、前記記憶部に音声信号が記憶されている場合には、前記記憶されている音声信号を高速再生する、請求項１記載の電話装置。
【請求項１３】
前記再生部は、すべての呼接続が切断された後、前記記憶部に音声信号が記憶されている場合に、前記記憶されている音声信号を再生する、請求項１記載の電話装置。
【請求項１４】
前記通話制御部は、前記記憶されている音声信号が再生された後、前記音声信号を送信した相手側装置へ発呼またはメールを送信する、請求項１３記載の電話装置。
【請求項１５】
複数の電話装置を含む電話システムであって、
複数の呼接続の着信を受ける第１の電話装置は、
マイクと、
スピーカと、
音声信号を記憶するための記憶部と、
１または複数の相手側装置との間の呼接続を制御する通話制御部と、
複数の呼接続がなされているときに、前記複数の呼接続のうちの少なくとも１つを選択呼接続とし、前記選択呼接続以外の少なくとも１つの呼接続を非選択呼接続として設定する設定部とを備え、
前記通話制御部は、前記マイクに入力された音声信号を前記選択呼接続の相手側装置へ送信し、前記選択呼接続の相手側装置から受信した音声信号を前記スピーカに出力するとともに、前記非選択呼接続の相手側装置から受信した音声信号を前記スピーカに出力せずに前記記憶部に出力し、
前記記憶部に記憶された音声信号を再生するための再生部を備え、
前記第１の電話装置と呼接続された第２の電話装置は、
マイクと、
スピーカーと、
前記第１の電話装置との間の呼接続を制御する通話制御部とを備え、
前記通話制御部は、前記マイクに入力された音声信号を前記第１の電話装置へ送信し、かつ前記第１の電話装置から受信した音声信号を前記スピーカに出力する、電話システム。
【発明の詳細な説明】
【技術分野】
【０００１】
本発明は、電話装置および電話システムに関する。
【背景技術】
【０００２】
従来から、コールウエイティングサービスが実行されている。このコールウエイティングサービスでは、加入者が通話中の状態で着信があった場合に、電子交換機がコールウエイティングの登録を確認してトーンをその加入者へ接続する。その加入者はそのトーンを聞くことで第２呼が着信してきたことを知り、フッキングすることによりコールウエイティングサービスを実行する（特許文献１を参照）。
【０００３】
このようなコールウエイティングサービスでは、加入者が第１呼で通話中に第２呼の着信があった場合に、一方が保留にされ、他方とのみ通話がなされる。
【先行技術文献】
【特許文献】
【０００４】
【特許文献１】特開平３−２３８９６０号公報
【発明の概要】
【発明が解決しようとする課題】
【０００５】
しかしながら、保留にされた呼の相手側は、保留中は、いつ保留が解除するかがわからない状態のまま、自分の音声を伝えることができない状態が続く。
【０００６】
それゆえに、本発明の目的は、複数の呼接続の相手側装置のいずれからでも音声を送信することが可能な電話装置および電話システムを提供することである。
【課題を解決するための手段】
【０００７】
上記課題を解決するために、本発明の一実施形態の電話装置は、マイクと、スピーカと、音声信号を記憶するための記憶部と、１または複数の相手側装置との間での呼接続を制御する通話制御部と、複数の呼接続がなされているときに、複数の呼接続のうちの少なくとも１つを選択呼接続とし、選択呼接続以外の少なくとも１つの呼接続を非選択呼接続として設定する設定部とを備え、通話制御部は、マイクに入力された音声信号を選択呼接続の相手側装置へ送信し、選択呼接続の相手側装置から受信した音声信号をスピーカに出力するとともに、非選択呼接続の相手側装置から受信した音声信号をスピーカに出力せずに記憶部に出力し、記憶部に記憶された音声信号を再生するための再生部を備える。
【発明の効果】
【０００８】
本発明の一実施形態によれば、複数の呼接続の相手側装置のいずれからでも音声を送信することができる。
【図面の簡単な説明】
【０００９】
【図１】本発明の実施形態の電話システムの構成を表わす図である。
【図２】本発明の実施形態の電話装置の構成を表わす図である。
【図３】本発明の実施形態の呼接続の例を表わす図である。
【図４】本発明の実施形態の処理の概略を説明するための図である。
【図５】本発明の実施形態の電話装置の動作手順を表わすフローチャートである。
【図６】図５のステップＳ１２５の動作手順を表わすフローチャートである。
【図７】本発明の実施形態の電話装置の画面例を表わす図である。
【図８】本発明の実施形態の電話装置の画面例を表わす図である。
【図９】本発明の実施形態の電話装置の画面例を表わす図である。
【図１０】本発明の実施形態の電話装置の画面例を表わす図である。
【図１１】本発明の実施形態の電話装置の画面例を表わす図である。
【図１２】本発明の実施形態の電話装置の画面例を表わす図である。
【図１３】本発明の実施形態の電話装置の画面例を表わす図である。
【発明を実施するための形態】
【００１０】
以下、本発明の実施形態について図面を参照して説明する。
［第１の実施形態］
図１は、本発明の実施形態の電話システムの構成を表わす図である。
【００１１】
図１を参照して、電話システムは、複数の電話装置Ａ（１ａ）、Ｂ（１ｂ）、Ｃ（１ｃ）を含む。また、電話装置間は、電話回線網２と、メッセージデータ伝送用のインターネット網３とで接続される。
【００１２】
（構成）
図２は、本発明の実施形態の電話装置１ａの構成を表わす図である。他の電話装置１ｂ、１ｃもこれと同様である。
【００１３】
図２を参照して、この電話装置は、マイク１６と、スピーカ１８と、メモリ２０と、ディスプレイ３０と、キー入力部２４と、通話制御部１４と、設定部２２と、通知部２８と、再生部２６と、メッセージ制御部３４とを備える。
【００１４】
マイク１６は、外部から音声信号を入力する。
スピーカ１８は、音声信号を出力する。
【００１５】
メモリ２０は、音声信号を記憶（録音)し、かつ音声メッセージを記憶する。
ディスプレイ３０は、メッセージ、およびユーザの指示を受け付ける画面、メール作成画面などを表示する。
【００１６】
キー入力部２４は、ユーザによるキーボタンの操作を受け付ける。
設定部２２は、複数の呼接続のうち、１つを選択呼接続に設定し、他のすべてを非選択呼接続に設定する。
【００１７】
通話制御部１４は、電話回線網２を通じた１または複数の呼の接続および切断を制御する。通話制御部１４は、複数の相手側装置との間での呼接続を制御できる。通話制御部１４は、マイク１６に入力された音声信号を選択呼接続の相手側装置へ送信し、選択呼接続の相手側装置から受信した音声信号をスピーカ１８に出力するとともに、非選択呼接続の相手側装置から受信した音声信号をスピーカ１８に出力せずにメモリ２０に記憶する。
【００１８】
通知部２８は、電話装置のユーザにメッセージを通知する。通知部２８は、音声のメッセージをスピーカ１８に出力し、文字のメッセージをディスプレイ３０に出力する。
【００１９】
再生部２６は、メモリ２０に記憶されている音声信号を再生する。
メッセージ制御部３４は、インターネット網３を通じたメールの送信を制御する。
【００２０】
（シーケンス）
図３は、本発明の実施形態の呼接続の例を表わす図である。
【００２１】
図３を参照して、まず、最初に、電話装置Ａは、電話装置Ｂから第１呼の接続要求を着信する（ＳＥＴＵＰ）。次に、電話装置Ａは、電話装置Ｂに対して第１呼の接続許可（ＣＯＮＮＥＣＴ）を送信する。さらに、電話装置Ｂは、電話装置Ａに対して第１呼の接続の確認応答（ＣＯＮＮＥＣＴ，ＡＣＫ）を送信する。以上によって、電話装置Ａと電話装置Ｂとの間で第１呼が接続される。
【００２２】
さらに、電話装置Ａは、電話装置Ｃから第２呼の接続要求を着信する（ＳＥＴＵＰ）。次に、電話装置Ａは、電話装置Ｃに対して第２呼の接続許可（ＣＯＮＮＥＣＴ）を送信する。さらに、電話装置Ｃは、電話装置Ａに対して第２呼の接続の確認応答（ＣＯＮＮＥＣＴ，ＡＣＫ）を送信する。以上によって、電話装置Ａと電話装置Ｃとの間で第２呼が接続される。この状態では、電話装置Ａは、第１呼接続で電話装置Ｂと接続され、第２呼接続で電話装置Ｃと接続されるから、複数の電話装置とから音声を同時に受信し、かつ複数の電話装置へ音声を同時に出力することができる。
【００２３】
（処理の概略）
図４は、本発明の実施形態の処理の概略を説明するための図である。
【００２４】
図４を参照して、電話装置Ａは、電話装置Ｂとの間で第１呼が接続された後、電話装置Ｂとの間で通話が行なわれる。
【００２５】
電話装置Ａは、電話装置Ｃとの間で、第２呼が接続された後、電話装置Ａのユーザは、電話装置Ｂ（第１呼接続）と電話装置Ｃ（第２呼接続）のうちどちらと通話するかを選択する。ユーザが、第２呼接続を選択した場合には、第２呼接続が選択呼接続に設定され、第１呼接続が非選択呼接続に設定される。電話装置Ａと選択呼接続の相手側である電話装置Ｃとの間で通話が行なわれる。一方、非選択呼接続の相手側である電話装置Ｂからの音声は、電話装置Ａで録音されるとともに、電話装置Ａは、マイクから入力された音声を電話装置Ｂへ送信しない。
【００２６】
次に、ユーザが、電話装置Ｂへの切換を選択した場合には、第１呼接続が選択呼接続に設定され、第２呼接続が非選択呼接続に設定される。
【００２７】
非選択呼接続の相手側である電話装置Ｃからの音声は、電話装置Ａで録音されるとともに、電話装置Ａは、マイクから入力された音声を電話装置Ｃへ送信しない。一方、電話装置Ａは、録音されている電話装置Ｂからの音声を再生する。録音された音声がすべて再生された後、電話装置Ａと電話装置Ｂとの間で通話が行なわれる。
【００２８】
非選択呼接続の相手側である電話装置Ｃが音声を録音した後、電話装置Ａと電話装置Ｃとの間の第２呼接続が切断され、さらに、その後、電話装置Ａと電話装置Ｂとの間の第１呼接続が切断された場合、電話装置Ａは、録音されている電話装置Ｃからの音声の再生が選択されると、それが通常再生する。さらに、電話装置Ａは、録音を残した電話装置Ｃへのメール送信が選択されると、メール作成画面が開いて、ユーザがメールでメッセージを作成後、メールでメッセージが送信される。
【００２９】
（動作および画面例）
図５は、本発明の実施形態の電話装置の動作手順を表わすフローチャートである。
【００３０】
図６は、図５のステップＳ１２５の動作手順を表わすフローチャートである。図７〜図１３は、本発明の実施形態の電話装置の画面例を表わす図である。
【００３１】
図５を参照して、通話制御部１４は、第１呼の接続を確立した後、第１呼接続の相手側の電話装置との通話を制御する。すなわち、通話制御部１４は、マイク１６に入力される音声を第１呼接続の相手側の電話装置へ送信し、第１呼接続の相手側の電話装置から受信した音声をスピーカ１８に出力する（ステップＳ１０１）。
【００３２】
次に、通話制御部１４が、第２呼の着信を受けたときには（ステップＳ１０２でＹＥＳ）、通知部２８は、図７に示すような、第２呼の着信があったことを通知し、いずれの呼接続を選択するかの指示を求める画面をディスプレイ３０に表示するとともに、第２呼の接続を確立する（ステップＳ１０３）。
【００３３】
次に、キー入力部２４が、ユーザからいずれかの呼接続を選択する指示を受けると、設定部２２は、選択された呼接続を選択呼接続とし、それ以外の呼接続を非選択呼接続に設定する（ステップＳ１０４）。このように、第１の実施形態では、操作入力部は、電話装置のユーザからの操作入力を受け付け、設定部は、操作入力部を通じたユーザの操作に従って、選択呼接続および非選択呼接続の設定を切換える。これにより、ユーザが通話したい相手とリアルタイムで会話することができる。
【００３４】
次に、ステップＳ１０５〜Ｓ１２５の処理と、ステップＳ１０９〜Ｓ１１５の処理が並行して行なわれる。
【００３５】
通知部２８は、図８に示すような、選択呼接続を通知する画面をディスプレイ３０に表示する（ステップＳ１０５）。
【００３６】
次に、再生部２６は、メモリ２０に、選択呼接続の相手側が出力した音声信号が記憶されている場合には（ステップＳ１０６でＹＥＳ）、再生部２６は、メモリ２０から音声信号を読み出して高速再生する（ステップＳ１０７）。このように、第１の実施形態では、再生部は、非選択呼接続の設定から選択呼接続の設定に切り替わった呼接続について、記憶部に音声信号が記憶されている場合には、記憶されている音声信号を高速再生する。これによって、選択呼接続の設定に切り替わった呼接続での録音された音声の内容を迅速に把握した後で、リアルタイムの会話に移ることができる。
【００３７】
次に、通話制御部１４は、選択呼接続との通信を制御する。すなわち、通話制御部１４は、マイク１６に入力される音声信号を選択呼接続の相手側の電話装置へ送信し、選択呼接続の相手側の電話装置から受信した音声信号をスピーカ１８に出力する（ステップＳ１０８）。
【００３８】
一方、通話制御部１４は、非選択呼接続がある場合には（ステップＳ１０９でＹＥＳ）、マイク１６に入力される音声信号を非選択呼接続の相手側の電話装置へ出力しないようにする（ステップＳ１１０）。
【００３９】
さらに、通話制御部１４は、現在非選択状態であるが、録音可能であることを通知する音声メッセージをメモリ２０から読出して、非選択呼接続の相手側の電話装置に送信する（ステップＳ１１１）。つまり、第１の実施形態では、通話制御部は、非選択呼接続の相手側へ相手側が発した音声信号は録音される旨の音声メッセージを送信する。これによって、非選択呼接続の相手方は、録音が可能であることを知らないで、呼接続を切断してしまうのを防止することができる。
【００４０】
さらに、通話制御部１４は、非選択呼接続の相手側の電話装置から音声信号を受信した場合には（ステップＳ１１２でＹＥＳ）、受信した音声信号をメモリ２０に記憶する（ステップＳ１１３）。
【００４１】
また、通話制御部１４によって非選択呼接続が切断された場合には（ステップＳ１１４でＹＥＳ）、通知部２８は、図９に示すような非選択呼接続が切断されたことを通知する画面をディスプレイ３０に表示する（ステップＳ１１５）。このように、第１の実施形態では、通知部は、非選択呼接続が切断されたときに、非選択呼接続が切断された旨のメッセージを電話装置のユーザに通知する。これによって、電話装置のユーザは、非選択呼接続の相手側が待っていると勘違いして、選択呼接続での会話を急いで終わらせるような事態を防止することができる。
【００４２】
次に、キー入力部２４が、ユーザから選択の切替えを受けた場合には（ステップＳ１１６でＹＥＳ）、ステップＳ１０５およびステップＳ１０９に戻る。
【００４３】
一方、通話制御部１４が、新たな呼の着信を受けたときには（ステップＳ１１７でＹＥＳ）、通知部２８は、新たな呼の着信があったことを通知し、いずれの呼接続を選択するかの指示を求める画面（図７と同等の画面）をディスプレイ３０に表示するとともに、新たな呼の接続を確立する（ステップＳ１１８）。
【００４４】
次に、キー入力部２４が、ユーザからいずれかの呼接続を選択する指示を受けると、設定部２２は、選択された呼接続を選択呼接続とし、それ以外の呼接続を非選択呼接続に設定して（ステップＳ１１９）、ステップＳ１０５およびステップＳ１０９に戻る。
【００４５】
一方、通話制御部１４によって選択呼接続が切断された場合であって（ステップＳ１２０でＹＥＳ）、非選択呼接続が２個以上ある場合には（ステップＳ１２１でＹＥＳ）、通知部２８は、図１０に示すような、いずれの呼接続を選択するかの指示を求める画面をディスプレイ３０に表示する。さらに、キー入力部２４が、ユーザからいずれかの呼接続を選択する指示を受けると、設定部２２は、選択された呼接続を選択呼接続とし、それ以外の呼接続を非選択呼接続に設定して（ステップＳ１２２）、ステップＳ１０５およびステップＳ１０９に戻る。
【００４６】
通話制御部１４によって選択呼接続が切断された場合であって（ステップＳ１２０でＹＥＳ）、非選択呼接続が１個の場合には（ステップＳ１２３でＹＥＳ）、設定部２２は、その非選択呼接続を選択呼接続に設定して（ステップＳ１２４）、ステップＳ１０５およびステップＳ１０９に戻る。
【００４７】
一方、通話制御部１４によって選択呼接続が切断された場合であって（ステップＳ１２０でＹＥＳ）、非選択呼接続がない場合には（ステップＳ１２３でＮＯ）、ステップＳ１２５に移行する。
【００４８】
次に、ステップＳ１２５の処理の詳細について説明する。
図６を参照して、メモリ２０に音声信号が記憶されている場合には（ステップＳ２０１でＹＥＳ）、通知部２８は、図１１に示すような、音声が録音されていることを知らせ、かつ再生するかどうかの指示を求める画面をディスプレイ３０に表示する（ステップＳ２０２）。このように、第１の実施形態では、通知部は、すべての呼接続が切断された後、記憶部に音声信号が記憶されている場合に、電話装置のユーザに音声信号が記憶されていることを通知する。これによって、電話装置のユーザが、非選択呼接続の相手側装置が音声信号を録音したことを知ることができる。
【００４９】
次に、キー入力部２４からユーザが録音された音声信号の再生を指示した場合には、再生部２６は、メモリ２０から音声信号を読み出して再生する（ステップＳ２０４）。このように、第１の実施形態では、再生部は、すべての呼接続が切断された後、記憶部に音声信号が記憶されている場合に、記憶されている音声信号を再生する。これにより、非選択呼接続の相手側が録音した音声を聞くことができる。
【００５０】
次に、通知部２８は、図１２に示すような、録音された音声信号の再生が終了し、かつ録音した相手側にメッセージを送信するかどうかの指示を求める画面を表示する（ステップＳ２０５）。
【００５１】
次に、キー入力部２４からユーザがメッセージ送信を選択した場合には（ステップＳ２０６でＹＥＳ）、メッセージ制御部３４は、図１３に示すようなメール作成画面を表示する。キー入力部２４は、ユーザからタイトルとコメントの入力を受け付ける（ステップＳ２０７）。
【００５２】
メッセージ制御部３４は、作成されたメールをインターネット網３を介して、録音した相手側に送信する（ステップＳ２０８）。このように、第１の実施形態では、通話制御部は、記憶された音声信号が再生された後、音声信号を出力した相手側装置へメールを送信する。これによって、録音を残した相手側は、メールを受け取ることができる。
【００５３】
なお、本発明の実施形態では、設定部は、複数の呼接続のうち、１つを選択呼接続に設定し、他のすべてを非選択呼接続に設定したが、これに限定するものではなく、設定部は、複数の呼接続のうちの少なくとも１つを選択呼接続とし、選択呼接続以外の少なくとも１つの呼接続を非選択呼接続として設定するものとしてもよい。
【００５４】
以上のように、本発明の第１の実施形態の電話装置は、マイクと、スピーカと、音声信号を記憶するための記憶部と、１または複数の相手側装置との間での呼接続を制御する通話制御部と、複数の呼接続がなされているときに、複数の呼接続のうちの少なくとも１つを選択呼接続とし、選択呼接続以外の少なくとも１つの呼接続を非選択呼接続として設定する設定部とを備え、通話制御部は、マイクに入力された音声信号を選択呼接続の相手側装置へ送信し、選択呼接続の相手側装置から受信した音声信号をスピーカに出力するとともに、非選択呼接続の相手側装置から受信した音声信号をスピーカに出力せずに記憶部に出力し、記憶部に記憶された音声信号を再生するための再生部を備える。これによって、複数の呼接続の相手側装置のいずれからでも音声を送信することができる。
【００５５】
［第２の実施形態］
本発明の第１の実施形態では、ステップＳ１０４で、電話装置のユーザが、第１呼接続か第２呼接続のいずれかを選択し、ステップＳ１１９で、電話装置のユーザが、今まで接続されていた呼接続のいずれか、または新たな呼接続を選択したが、これに限定するものではない。
【００５６】
たとえば、ステップＳ１０４において、第２呼接続（新たな呼接続）が自動的に選択され、ステップＳ１１９において、新たな呼接続が自動的に選択されるものとしてもよい。
【００５７】
以上のように、第２の実施形態では、設定部は、新たな呼接続があったときには、新たな呼接続を選択呼接続に設定する。これにより、新たに接続された相手側装置において、接続された直後に通話できなかった場合に、接続を切断してしまうことを防止することができる。
【００５８】
［第３の実施形態］
本発明の第１の実施形態では、ステップＳ１１６およびステップＳ１２２において、ユーザが、キー入力部２４を通じて選択呼接続を選択したが、これに限定するものではない。
【００５９】
たとえば、設定部２２は、選択呼接続が選択されてから一定時間経過したら、その選択呼接続を非選択呼接続に切換えるとともに、今まで非選択呼接続であった呼接続のうちの１つの呼接続を自動的に選択呼接続に切換えるものとしてもよい。今まで非選択呼接続であった呼接続が複数個ある場合には、ランダムまたは一定の順序で１個の呼接続を選択するようにすればよい。
【００６０】
以上のように、第２の実施形態では、設定部は、一定時間ごとに、選択呼接続および非選択呼接続の設定を切換える。これにより、複数の呼接続のうちの特定のものだけが長時間通話中になるのを防止することができる。
【００６１】
［第４の実施形態］
本発明の第１の実施形態では、ステップＳ１１６およびステップＳ１２２において、ユーザが、キー入力部２４を通じて選択呼接続を選択したが、これに限定するものではない。
【００６２】
たとえば、設定部２２は、選択呼接続での通話が所定時間途切れた時、すなわち、選択呼接続で接続されている２つの電話装置のいずれからも音声が送信されない状態が所定時間続いた後（つまり無音区間が一定時間続いた後）、複数の呼接続中の相手側装置のうち、最初に音声信号を送信した相手側装置との呼接続を選択呼接続に設定し、それ以外の呼接続を非選択呼接続に設定するものとしてもよい。
【００６３】
以上のように、第４の実施形態では、設定部は、選択呼接続での通話が所定時間途切れた後、複数の呼接続中の相手側装置のうち最初に音声信号を送信した相手側装置との呼接続を選択呼接続に設定する。これにより、会話がなされる方の呼接続を選択呼接接続に設定することができる。
【００６４】
［第５の実施形態］
本発明の第１の実施形態では、ステップＳ１１６およびステップＳ１２２において、ユーザが、キー入力部２４を通じて選択呼接続を選択したが、これに限定するものではない。
【００６５】
設定部２２は、選択呼接続での通話において、１つのダウンリンク通信と１つのアップリンク通信のペアを１セットとして、１セットが終了するごとに、選択呼接続を非選択呼接続に切換えるとともに、今まで非選択呼接続であった呼接続のうちの１つの呼接続を自動的に選択呼接続に切換えるものとしてもよい。
【００６６】
たとえば、電話装置Ａが、選択呼接続で電話装置Ｂと接続され、非選択呼接続で電話装置Ｃと接続されている場合、電話装置Ａから音声信号が送信され、その後無音が所定時間（Ｔ１）以下だけ続き、さらに電話装置Ｂから音声信号が送信されて、その後所定時間（Ｔ２）だけ無音となった場合に、電話装置Ａと電話装置Ｂとの間の会話が一区切りついたとみなして、電話装置Ｂとの呼接続を非選択呼接続にし、電話装置Ｃとの呼接続を選択呼接続に切換えることとしてもよい。
【００６７】
以上のように、第５の実施形態では、設定部は、選択呼接続において、電話装置および相手側装置の一方から継続して音声信号が出力された後無音となり、その後、他方から継続して音声信号が出力された後無音となったときに、選択呼接続および非選択呼接続の設定を切換える。これにより、切りの良いタイミングで、通話する相手を切換えることができる。
【００６８】
［第５の実施形態の変形例］
設定部２２は、ダウンリンク通信とアップリンク通信のペアを１セットとして、ｍセット（ｍは２以上の自然数）が終了するごとに、上記の切換えを行なうものとしてもよい。
【００６９】
［第６の実施形態］
本発明の第１の実施形態では、ステップＳ１１６およびステップＳ１２２において、ユーザが、キー入力部２４を通じて選択呼接続を選択したが、これに限定するものではない。
【００７０】
たとえば、メモリ２０内の記憶された音声信号の容量がある閾値を越えた場合に、選択呼接続を非選択呼接続に切換えるとともに、今まで非選択呼接続であった呼接続のうちの１つの呼接続を自動的に選択呼接続に切換えるものとしてもよい。
【００７１】
以上のように、第６の実施形態では、設定部は、記憶部に記憶された音声信号の容量に基づいて、選択呼接続および非選択呼接続の設定を切換える。これにより、記憶部がフルになるのを防止することができる。
【００７２】
［第７の実施形態］
本発明の実施形態では、ステップＳ２０２およびステップＳ２０３において、すべての呼が切断された後にメモリ２０に音声信号が記憶されている場合には、録音データがあることを通知し、かつ再生するかどうかの指示を求める画面を表示して、ユーザから再生の指示が入力された場合に、再生部２６は、音声信号を再生したが、これに限定するものではない。
【００７３】
たとえば、すべての呼接続が切断された後にメモリ２０に音声信号が録音されている場合には、音声信号が録音されていることを通知するとともに、自動的に録音された音声信号を再生することとしてもよい。
【００７４】
［第８の実施形態］
本発明の実施形態では、ステップＳ１０３において、図７に示すような、ユーザへの通知とユーザの指示を求める画面をディスプレイ３０に表示し、ステップＳ１０５において、図８に示すような、ユーザへの通知の画面をディスプレイ３０に表示し、ステップＳ１０９において、図９に示すような、ユーザへの通知の画面をディスプレイ３０に表示し、ステップＳ１１８において、図７に示すような、ユーザへの通知とユーザの指示を求める画面をディスプレイ３０を表示し、ステップＳ１２２において、図１０に示すような、ユーザへの通知とユーザの指示を求める画面をディスプレイ３０を表示し、ステップＳ２０５において、図１２に示すようなユーザへの通知とユーザの指示を求める画面をディスプレイ３０を表示したがこれに限定するものではない。
【００７５】
上記のような画面に代えて、あるいは上記のような画面とともに、音声で通知するものとしてもよい。
【００７６】
メッセージ通知用の音声は、選択呼接続の相手側の電話装置から送信される音声と重複させてもよいし、選択呼接続における相手側の電話装置から送信される音声に割込ませてもよい。このメッセージ通知用の音声は、メモリ２０に蓄積されたものをそのまま使用するか、あるいは、メモリ２０に蓄積されたものをテンプレートとして、修正を加えて使用する（通信相手の名前を修正）などすればよい。
【００７７】
さらに、メッセージ通知用の画面をディスプレイ３０に表示するか、あるいはメッセージ通知用の音声をスピーカ１８に出力するかは、電話装置がハンズフリー状態であるかどうかに応じて切換えることとしてもよい。すなわち、電話装置がハンズフリー状態の場合には、電話装置のユーザはディスプレイ３０を見ることができるので、メッセージ通知用の画面をディスプレイ３０に表示し、電話装置がハンズフリー状態でない場合には、電話装置のユーザはディスプレイ３０を通常見ないので、メッセージ通知用の音声をスピーカ１８に出力することとしてもよい。
【００７８】
このようにこのように、第８の実施形態では、通知部は、電話装置がハンズフリー状態の場合には、メッセージを表わす文字を表示部に出力し、電話装置がハンズフリー状態でない場合には、メッセージを表わす音声信号をスピーカに出力する。これによって、ユーザの会話の邪魔をできるだけしないで、メッセージを確実に伝えることができる。
【００７９】
［第９の実施形態］
また、本発明の第１の実施形態では、ステップＳ２０２において、通知部２８は、図１１に示すような録音された音声信号があることを通知し、かつ再生するかどうかの指示を求める画面をディスプレイ３０に表示するものとしたが、これに限定するものではない。
【００８０】
上記のような画面で通知するとともに、録音された音声信号があることをメッセージ通知用の音声、振動、または光でユーザに通知することとしてもよい。
【００８１】
［第１０の実施形態］
また、本発明の第１の実施形態では、ステップＳ２０６において、メッセージ送信を選択した場合に、ステップＳ２０７、Ｓ２０８において、音声を録音した相手側の電話装置へメールでメッセージを送信するものとしたが、これに限定するものではない。
【００８２】
ステップＳ２０６において、メッセージ送信を選択した場合に、音声信号を録音した相手側の電話装置に対して発呼することとしてもよい。
【００８３】
このように、第９の実施形態では、通話制御部は、記憶された音声信号が再生された後、音声信号を出力した相手側装置へ発呼する。これによって、録音を残した相手側は、電話を受けることができる。
【００８４】
（変形例）
本発明は、上記の実施形態に限定されるものではなく、たとえば以下のような変形例も含む。
【００８５】
本発明の実施形態では、ステップＳ１０３、Ｓ１０４において、通話制御部１４が、第２呼の着信を受けたときには、通知部２８は、図７に示すような、第２呼の着信があったことを通知し、いずれの呼接続を選択するかの指示を求める画面をディスプレイ３０に表示するとともに、第２呼の接続を確立し、キー入力部２４が、ユーザからいずれかの呼接続を選択する指示を受けると、設定部２２は、選択された呼接続を選択呼接続とし、それ以外の呼接続を非選択呼接続に設定したが、これに限定するものではない。
【００８６】
たとえば、通話制御部１４が、第２呼の着信を受けたときには、まず、通知部２８は、図７に示すような、第２呼の着信があったことを通知し、いずれの呼接続を選択するかの指示を求める画面をディスプレイ３０に表示する。
【００８７】
その後、キー入力部２４が、ユーザからいずれかの呼接続（第１呼接続または第２呼接続）を選択する指示を受けると、設定部２２は、選択された呼接続を選択呼接続とし、それ以外の呼接続を非選択呼接続に設定するとともに、第２呼の接続を確立するものとしてよい。
【００８８】
あるいは、キー入力部２４が、ユーザから第２呼の呼接続を選択する指示を受けると、設定部２２は、選択された第２呼の呼接続を選択呼接続とし、第１呼の呼接続を非選択呼接続に設定するとともに、第２呼の接続を確立するが、ユーザから第１呼の呼接続を選択する指示を受けると、通話制御部１４は、第２呼の着信を拒否するものとしてもよい。
【００８９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９０】
１ａ，１ｂ，１ｃ  電話装置、２  電話回線網、３  インターネット網、１４  通話制御部、１６  マイク、１８  スピーカ、２０  メモリ、２２  設定部、２４  キー入力部、２６  再生部、２８  通知部、３０  ディスプレイ、３４  メッセージ制御部。
【図１】
2010278657.tif 000003
【図２】
2010278657.tif 000004
【図３】
2010278657.tif 000005
【図４】
2010278657.tif 000006
【図５】
2010278657.tif 000007
【図６】
2010278657.tif 000008
【図７】
2010278657.tif 000009
【図８】
2010278657.tif 000010
【図９】
2010278657.tif 000011
【図１０】
2010278657.tif 000012
【図１１】
2010278657.tif 000013
【図１２】
2010278657.tif 000014
【図１３】
2010278657.tif 000015